(57)【要約】【課題】電解生成水を洗浄用水とする洗浄装置において、洗浄用水として、有隔膜電解槽で生成される電解生成酸性水と電解生成アルカリ性水を選択的に使用し得るようにする。【解決手段】有隔膜電解槽２０ａの各電解室Ｒ1，Ｒ2にて生成される電解生成酸性水および電解アルカリ性水をそれぞれ流出させる各流出管路２６，２７の一方の流出管路部２６ｂを洗浄用シンク１２が有するノズル１５に接続し、他方の流出管路部２７ｂを洗浄用シンク１２に接続されている排水管路１７の途中に接続して、両流出管路２６，２７の途中には、これら両流出管路部２６ｂ、２７ｂと各電解室Ｒ1，Ｒ2との接続を切替える切替え弁２０ｃを介装し、切替え弁２０ｃの切替え操作により、洗浄用水の選択を行う。【選択図】  図２
2006289216.tif 000002
【特許請求の範囲】
【請求項１】
洗浄用シンクの上方の部位に設けた洗浄用水の吐出口部を、電解槽が有する電解生成水の流出管路に接続して、前記電解槽にて生成される電解生成水を、前記流出管路を通して前記吐出口部に供給して、同吐出口部から洗浄用水として吐出させる形式の電解生成水を洗浄用水とする洗浄装置であり、前記電解槽は有隔膜電解槽であって各電解室にて生成される電解生成酸性水および電解生成アルカリ性水をそれぞれ流出させる一対の流出管路を備え、これら両流出管路の一方は前記吐出口部に接続され、かつ、これら両流出管路の他方は前記洗浄用シンクに接続されている排水管路の途中に接続されていて、これら両流出管路の途中には、これら両流出管路と前記有隔膜電解槽の各電解室との接続を切替える切替え弁が介装されていることを特徴とする洗浄装置。
【請求項２】
請求項１に記載の洗浄装置において、当該洗浄装置は、前記切替え弁の切替え操作によって洗浄用水を電解生成酸性水と電解生成アルカリ性水とに選択し、洗浄用水として選択された方の電解生成水を前記吐出口部に供給し、かつ、選択されない方の電解生成水を前記排出管路側に供給することを特徴とする洗浄装置。
【発明の詳細な説明】
【技術分野】
【０００１】
本発明は、電解生成酸性水や電解生成アルカリ性水等、電解生成水を洗浄用水とする洗浄装置に関する。
【背景技術】
【０００２】
近年、電解水生成装置の電解槽にて生成される電解生成水は機能性水として着目されており、例えば、希薄食塩水を被電解水とする有隔膜電解にて生成される強酸性の電解生成酸性水は、有効塩素を含有することに起因して殺菌作用や除菌作用を有する電解生成水として知られている。また、上記した有隔膜電解にて、電解生成酸性水と同期的に生成される強アルカリ性の電解生成アルカリ性水は、タンパクや油脂分等の汚染物を除去する洗浄効果が高い電解生成水として知られている。電解生成水に対するこのような機能に着目して、電解生成酸性水を洗浄用水として利用する、特殊な構成の流し槽を備える電解水生成装置が提案されている（特許文献１を参照）。
【０００３】
当該電解水生成装置は、有隔膜電解槽にて生成された電解生成酸性水を専ら洗浄用水として利用するもので、電解生成酸性水を洗浄用水として専用する場合の、塩素成分の揮発に起因する周辺機器の腐食に対する問題、および、洗浄済みの電解生成酸性水の排水に対する問題等に対処すべく構成されている。当該電解水生成装置は、具体的には、有隔膜電解槽にて生成され電解生成酸性水専用の第１流出管路および電解生成アルカリ性水専用の第２流出管路と、槽本体の中間部に多数の透水孔を有する仕切り部材を配設してなり、かつ、同槽本体の仕切り部材より下方の部位に排水管を接続してなる流し槽を備え、電解生成酸性水専用の第１流出管路が流し槽の上方の部位に臨み、かつ、電解生成アルカリ性水専用の第２流出管路が流し槽の仕切り部材より下方の部位に接続して構成されている。
【０００４】
当該電解水生成装置においては、電解生成酸性水を専ら洗浄用水として利用するもので、第２流出管路を通して電解生成アルカリ性水を流し槽の仕切部材より下方の部位に供給した状態で、第１流出管路を通して電解生成酸性水を流し槽の上方から吐出する方式を採っている。当該吐出方式の洗浄では、各種の被洗浄物を第１流出管路から吐出する洗浄用水（電解生成酸性水）に曝して洗浄し、洗浄済みの洗浄用水である電解生成酸性水は、仕切り部材を通して流し槽の底部に貯留する電解生成アルカリ性水中に導入されて中和し、中和された電解生成水として排水管を通して排水される。
【特許文献１】特開平８−２９９９５５号公報
【発明の開示】
【発明が解決しようとする課題】
【０００５】
このように、当該電解水生成装置においては、洗浄用水として使用済みの電解生成酸性水を排水に先だって、電解生成アルカリ性水中に導入して中和する手段を採っていることから、洗浄済みの洗浄用水である電解生成酸性水の排水問題に対しては、十分に対処し得るものである。しかしながら、当該電解水生成装置は、洗浄用水として電解生成酸性水を専ら使用するものであって、洗浄用水として有用な電解生成アルカリ性水を有効利用することができないという問題がある。
【０００６】
すなわち、当該電解水生成装置では、洗浄水として、電解生成酸性水と電解生成アルカリ性水を必要時に選択して使用することはできない。また、当該電解水生成装置では、各流出管路は、各電解生成水の専用となっていることから、特に電解生成アルカリ性水専用の第２流出管路には、有隔膜電解槽の陰極室側で発生するスケールが持ち込まれ、第２流出管路内を汚染し、さらには、同流出管路の管詰まりを引き起こすおそれがある。このため、第２流出管路内およびその周辺の管路を定期的に洗浄する必要がある。本発明の目的は、これらの問題に対処することにある。
【課題を解決するための手段】
【０００７】
本発明は、電解生成水を洗浄用水とする洗浄装置に関する。本発明に係る洗浄装置は、洗浄用シンクの上方の部位に設けた洗浄用水の吐出口部を、電解槽が有する電解生成水の流出管路に接続して、前記電解槽にて生成される電解生成水を、前記流出管路を通して前記吐出口部に供給して、同吐出口部から洗浄用水として吐出させる形式の電解生成水を洗浄用水とする洗浄装置である。
【０００８】
しかして、本発明に係る洗浄装置においては、前記電解槽は有隔膜電解槽であって各電解室にて生成される電解生成酸性水および電解アルカリ性水をそれぞれ流出させる一対の流出管路を備え、これら両流出管路の一方は前記吐出口部に接続され、かつ、これら両流出管路の他方は前記洗浄用シンクに接続されている排水管路の途中に接続されていて、これら両流出管路の途中には、これら両流出管路と前記有隔膜電解槽の各電解室との接続を切替える切替え弁が介装されていることを特徴とするものである。
【０００９】
また、本発明に係る洗浄装置においては、前記切替え弁の切替え操作によって洗浄用水を電解生成酸性水と電解生成アルカリ性水とに選択し、洗浄用水として選択された方の電解生成水を前記吐出口部に供給し、かつ、選択されない方の電解生成水を前記排出管路側に供給することを特徴とするものである。
【発明の効果】
【００１０】
本発明に係る洗浄装置においては、有隔膜電解槽の一方の電解室にて生成された一方の電解生成水を吐出口部に供給し、かつ、有隔膜電解槽の他方の電解室にて生成された他方の電解生成水を排水管路の途中の内部に供給することができる。当該洗浄装置における各電解生成水の当該供給態様によれば、吐出口部から吐出する一方の電解生成水を、洗浄用水として利用し被洗浄物を洗浄することができる。また、排水管路の途中の内部に供給した他方の電解生成水を、洗浄済みの電解生成水を中和するための中和剤として利用することができて、排水すべく一方の電解生成水を他方の電解生成水にて中和した状態で排水することができる。
【００１１】
また、当該洗浄装置においては、各電解生成水の上記した供給態様を切替え弁の切替え操作によって、逆の供給態様に変更することができる。すなわち、当該切替え弁の切替え動作により、有隔膜電解槽の他方の電解室にて生成された他方の電解生成水を吐出口部に供給し、かつ、有隔膜電解槽の一方の電解室にて生成された一方の電解生成水を排水管路の途中の内部に供給することができる。当該洗浄装置における各電解生成水の当該供給態様によれば、吐出口部から吐出する他方の電解生成水を、洗浄用水として利用し被洗浄物を洗浄することができ、かつ、排水管路の途中の内部に供給された一方の電解生成水を、洗浄済みの電解生成水を中和するための中和剤として利用して、排水すべく他方の電解生成水を一方の電解生成水にて中和した状態で排水することができる。
【００１２】
従って、当該洗浄装置によれば、被洗浄物の洗浄目的に応じて、洗浄用水を電解生成酸性水または電解生成アルカリ性水に選択して使用することができる。当該洗浄水の選択的な使用は、被洗浄物の洗浄目的に合致した洗浄を、切替え弁の切替え操作という容易な操作で可能とするもので、当該洗浄装置は、極めて使い勝手がよくて有用なものということができる。
【００１３】
また、当該洗浄装置においては、各流出管路は各電解生成水の専用のものではなく、切替え弁の切替え操作により、電解生成酸性水と電解生成アルカリ性水との流出管路に任意に変更することができるものである。このため、特に電解生成アルカリ性水専用の流出管路を電解生成酸性水にて洗浄するための、特別の洗浄手段は不要であるという大きな利点を有する。
【発明を実施するための最良の形態】
【００１４】
本発明は、電解生成水を洗浄用水とする洗浄装置であり、図１には、本発明の一実施形態に係る洗浄装置を示している。図１は、当該洗浄装置の正面を示すもので、当該洗浄装置は、装置本体１１の上方段部に洗浄用シンク１２と、装置本体１１の洗浄用シンク１２より下方の部位に配設されている電解水生成装置２０を備えている。装置本体１１は、その全体をハウジング１３にて覆蓋されていて、洗浄用シンク１２の形成部位の背面に起立する操作パネル１４を備えている。操作パネル１４は、その上端部から前方へ所定量突出するドーム状の庇部１４ａを備え、庇部１４ａの略中央部の下面側に吐出口部であるノズル１５が配設されている。なお、庇部１４ａの前端面には、洗浄装置の洗浄運転を制御する指令信号を制御装置に出力するための各種のスイッチ類１６が配設されている。また、洗浄用シンク１２の底部には、排水管路１７が接続されている。
【００１５】
電解水生成装置２０は、有隔膜電解槽２０ａを主体とするもので、図２には、当該電解水生成装置２０を模式的に示している。当該電解水生成装置２０それ自体は公知のもので、有隔膜電解槽２０ａ、被電解水の調製機構２０ｂ、および、各流出管路の切替え弁２０ｃを備えている。有隔膜電解槽２０ａは、イオン透過膜２１にて区画された区画室に各電極２２ａ，２２ｂを配設して形成された一対の電極室Ｒ1，Ｒ2を備えている。
【００１６】
被電解水の調製機構２０ｂは、所定濃度の希薄食塩水を調製して、調製された希薄食塩水を被電解水として有隔膜電解槽２０ａの各電解室Ｒ1，Ｒ2に供給するもので、飽和食塩水を収容する原液タンク２３と混合器２４とを備えている。混合器２４は、被電解水の供給管路２５の途中に介装されている。原液タンク２３は、混合器２４には導入管路２３ａを介して接続されている。また、供給管路２５は、その下流側の分岐管部２５ａ，２５ｂにて有隔膜電解槽２０ａの各電解室Ｒ1，Ｒ2に接続されている。
【００１７】
当該調製機構２０ｂにおいては、供給管路２５内に連続して導入される水道水の吸引作用により、原液タンク２３に収容されている高濃度食塩水の設定された一定量が連続して混合器２４内に導入される。混合器２４に導入された高濃度食塩水は、混合器２４内を流通する水道水中に均一に混合されて、設定された濃度の希薄食塩水に調製される。調製された希薄食塩水は、被電解水として供給管路２５を通して、有隔膜電解槽２０ａの各電解室Ｒ1，Ｒ2内に供給される。
【００１８】
有隔膜電解槽２０ａは、各電解室Ｒ1，Ｒ2にそれぞれ接続された流出管路２６，２７を備えており、両流出管路２６，２７の途中に切替え弁２０ｃが介装されている。切替え弁２０ｃを構成する弁本体２８ａは、両流出管路２６，２７間に介装された状態で、両流出管路２６，２７を、上流側管路部２６ａ，２７ａと下流側管路部２６ｂ，２７ｂとに区分けしている。弁本体２８ａは、カム機構２８ｂを介して連結されている駆動モータ２８ｃの駆動によって切替え動作するもので、弁本体２８ａが切替え動作した場合には、上流側管路部２６ａ，２７ａと下流側管路部２６ｂ，２７ｂの接続関係を切替える。例えば、上流側管路部２６ａは下流側管路部２６ｂに接続され、かつ、上流側管路部２７ａは下流側管路部２７ｂに接続されている場合には、弁本体２８ａの切替え動作により、上流側管路部２６ａは下流側管路部２７ｂに続され、かつ、上流側管路部２７ａは下流側管路部２６ｂに接続される。
【００１９】
当該洗浄装置においては、切替え弁２０ｃの弁本体２８ａの切替え動作は、当該洗浄装置の使用者が切替えスイッチを操作することによってなされる。使用者が切替えスイッチを操作すると、切替え指令信号が制御装置に出力され、制御装置は当該切替え指令信号に基づいて、駆動モータ２８ｃを駆動して弁本体２８ａを切替え動作させる。なお、当該洗浄装置においては、有隔膜電解槽２０ａの各電解室Ｒ1，Ｒ2の配設されている各電極２２ａ，２２ｂの極性を切替え可能に構成されていて、各電解室Ｒ1，Ｒ2を陽極側室および陰極側室に変更可能になっている。各電解室Ｒ1，Ｒ2の陽極側室および陰極側室への変更は、使用者が他の切替えスイッチを操作することによってなされる。使用者が他の切替えスイッチを操作すると、他の切替え指令信号が制御装置に出力され、制御装置は当該切替え指令信号に基づいて、各電極２２ａ，２２ｂに対する印加電圧の極性を逆特性の電圧に切替える。
【００２０】
当該電解水生成装置２０においては、有隔膜電解槽２０ａが有する流出管路２６，２７のうち、下流側管路部２６ｂは、洗浄用シンク１２の上方に位置するノズル１５に接続されている導入管路１５ａに接続されており、また、下流側管路部２７ｂは、洗浄用シンク１２の底部に接続している排水管路１７におけるトラップ１７ａより上流の部位に接続されている。
【００２１】
このように構成されている当該洗浄装置においては、有隔膜電解槽２０ａの一方の電解室で生成された一方の電解生成水を洗浄用水の吐出口部であるノズル１５に供給し、かつ、有隔膜電解槽２０ａの他方の電解室で生成された他方の電解生成水を排水管路１７におけるトラップ１７ａより上流の部位の内部に供給することができる。当該洗浄装置が装備する電解水生成装置２０においては、電解室Ｒ1が陽極側電解室にかつ電解室Ｒ2が陰極側電解室に設定されている場合には、電解室Ｒ1では電解生成酸性水が生成され、かつ、電解室Ｒ2では電解生成アルカリ性水が生成される。
【００２２】
当該電解水生成装置２０において、切替え弁２０ｃの弁本体２８ａが図２の実線で示す動作状態にある場合には、電解室Ｒ1にて生成された電解生成酸性水は、下流側管路部２６ｂおよび導入管路１５ａを通して洗浄用シンク１２の上方に位置するノズル１５に供給され、洗浄用水としてノズル１５から吐出される。これにより、使用者は、被洗浄物を当該洗浄用水に曝して殺菌洗浄または除菌洗浄を行うことができる。また、電解室Ｒ2にて同期的に生成された電解生成アルカリ性水は、下流側管路部２７ｂを通して、排水管路１７におけるトラップ１７ａより上流側の部位内に導入され、トラップ１７ａ内にて、洗浄済みの電解生成酸性水と十分に混合して電解生成酸性水を中和し、略中性の電解生成水として排水される（洗浄用水の第１の供給態様）。
【００２３】
また、当該電解水生成装置２０においては、使用者の切替えスイッチの操作により、切替え弁２０ｃの弁本体２８ａを、図２の実線で示す動作状態から２点鎖線で示す動作状態に切替えることができる。当該切替え動作状態では、電解室Ｒ2にて生成された電解生成アルカリ性水は、下流側管路部２６ｂおよび導入管路１５ａを通して洗浄用シンク１２の上方に位置するノズル１５に供給され、洗浄用水としてノズル１５から吐出される。これにより、使用者は、被洗浄物を当該洗浄用水に曝して汚染物の除去洗浄を行うことができる。また、電解室Ｒ1にて同期的に生成された電解生成酸性水は、下流側管路部２７ｂを通して、排水管路１７におけるトラップ１７ａより上流側の部位内に供給され、トラップ１７ａ内にて、洗浄済みの電解生成アルカリ性水と十分に混合して電解生成アルカリ性水を中和し、略中性の電解生成水として排水される（洗浄用水の第２の供給態様）。
【００２４】
なお、当該洗浄装置が装備する電解水生成装置２０においては、有隔膜電解槽２０ａの各電解室Ｒ1，Ｒ2に配設されている各電極２２ａ，２２ｂの極性を切替え可能に構成されていて、各電解室Ｒ1，Ｒ2を陽極側室および陰極側室に変更可能になっている。各電解室Ｒ1，Ｒ2の陽極側室および陰極側室への変更は、使用者が他の切替えスイッチを操作することによってなされる。この場合には、例えば、電解室Ｒ1は陰極側電解室にかつ電解室Ｒ2は陽極側電解室にそれぞれ設定され、電解室Ｒ1では電解生成アルカリ性水が生成され、電解室Ｒ2では電解生成酸性水が生成される。これにより、各電極２２ａ，２２ｂの極性を切替え前の電解にて電解室Ｒ2にて生成されたスケールを溶解除去することができるとともに、洗浄用水の供給態様として、第１の供給態様および第２の供給態様を選択して採ることができる。
【００２５】
すなわち、当該電解水生成装置２０において、切替え弁２０ｃが図２の実線で示す動作状態にある場合には、電解室Ｒ1にて生成された電解生成アルカリ性水は、下流側管路部２６ｂおよび導入管路１５ａを通して洗浄用シンク１２の上方に位置するノズル１５に供給され、洗浄用水としてノズル１５から吐出される。これにより、使用者は、被洗浄物を当該洗浄用水に曝して汚染物の除去洗浄を行うことができる。また、電解室Ｒ2にて同期的に生成された電解生成酸性水は、下流側管路部２７ｂを通して、排水管路１７におけるトラップ１７ａより上流側の部位内に導入され、トラップ１７ａ内にて、洗浄済みの電解生成アルカリ性水と十分に混合して電解生成アルカリ性水を中和し、略中性の電解生成水として排水される（洗浄用水の第２の供給態様）。
【００２６】
また、当該電解水生成装置２０においては、使用者の切替えスイッチの操作により、切替え弁２０ｃの弁本体２８ａを、図２の実線で示す動作状態から２点鎖線で示す動作状態に切替えることができる。当該切替え動作状態では、電解室Ｒ2にて生成された電解生成酸性水は、下流側管路部２６ｂおよび導入管路１５ａを通して洗浄用シンク１２の上方に位置するノズル１５に供給され、洗浄用水としてノズル１５から吐出される。これにより、使用者は、被洗浄物を当該洗浄用水に曝して殺菌または除菌洗浄を行うことができる。また、電解室Ｒ1にて同期的に生成された電解生成アルカリ性水は、下流側管路部２７ｂを通して、排水管路１７におけるトラップ１７ａより上流側の部位内に導入され、トラップ１７ａ内にて、洗浄済みの電解生成酸性水と十分に混合して電解生成酸性水を中和し、略中性の電解生成水として排水される（洗浄用水の第１の供給態様）。
【００２７】
このように、当該洗浄装置によれば、被洗浄物の洗浄目的に応じて、洗浄用水を電解生成酸性水または電解生成アルカリ性水に選択して使用することができる。当該洗浄水の選択的な使用は、被洗浄物の洗浄目的に合致した洗浄を、切替え弁２０ｃの切替え操作という容易な操作で可能とするもので、当該洗浄装置は、極めて使い勝手がよくて有用なものということができる。
【００２８】
また、当該洗浄装置においては、各流出管路２６ｂ，２７ｂは各電解生成水の専用のものではなく、切替え弁２０ｃの切替え操作により、電解生成酸性水と電解生成アルカリ性水との流出管路に任意に変更することができるものである。このため、特に電解生成アルカリ性水専用の流出管路を洗浄するために、特別の洗浄手段は不要であるという利点がある。
【図面の簡単な説明】
【００２９】
【図１】本発明の一実施形態に係る洗浄装置の正面図である。
【図２】同洗浄装置が搭載する電解水生成装置を模式的に示す概略構成図である。
【符号の説明】
【００３０】
１１…装置本体、１２…洗浄用シンク、１３…ハウジング、１４…操作パネル、１４ａ…庇部、１５…ノズル、１５ａ…導入管路、１６…スイッチ類、１７…排水管路、１７ａ…トラップ、２０…電解水生成装置、２０ａ…有隔膜電解槽、２０ｂ…被電解水の調製機構、２０ｃ…切替え弁、２１…イオン透過膜、２２ａ，２２ｂ…電極、Ｒ1，Ｒ2…電解室、２３…原液タンク、２３ａ…導入管路、２４…混合器、２５…供給管路、２５ａ，２５ｂ…分岐管部、２６，２７…流出管路、２６ａ，２７ａ…上流側管路部、２６ｂ，２７ｂ…下流側管路部、２８ａ…弁本体、２８ｂ…カム機構、２８ｃ…駆動モータ。
【図１】
2006289216.tif 000003
【図２】
2006289216.tif 000004